(57)【特許請求の範囲】
【請求項１】
運動能力低下者が日常使用する機器に使用され、操作部（１）と、前記操作部の操作によりオン、オフされるスイッチ部（２）とを有するスイッチ機構において、
前記操作部は、手指等で押圧またはスライド操作され、底面（１２ｄ）が円弧形状で構成される指操作部（１２）と、前記指操作部に接し、上面（１１ｄ）が前記指操作部の前記底面に対応する円弧形状で構成されるスイッチ操作部（１１）と、枠（１４）に連結し、前記指操作部の周囲の前後左右に延設されるばね部材（１３ａ、１３ｂ、１３ｃ、１３ｄ）とを有し、押圧方向（Ｘ）と、前記押圧方向と直交するスライド方向（Ｙ−Ｙ’）との２方向により前記スイッチ部に対して移動自在であることを特徴とする運動能力低下者向け機器のスイッチ機構。
【発明の詳細な説明】
【０００１】
【発明が属する技術分野】
この発明は運動能力低下者向け機器のスイッチ機構に係わり、特に、高齢者・身体障害者向け機器におけるスイッチ入力の操作性を向上させた運動能力低下者向け機器のスイッチ機構に関する。
【０００２】
【従来の技術】
高齢者または身体障害者（以下、運動能力低下者）が、テレビをみたり食事をするとき、または体位の変換時に、上半身を起こすための昇降機能のついた電動ベッドが使用され、その電動ベッドの操作は、運動能力低下者自身により手元操作器で操作されることがある。
【０００３】
また、エアコンの室温調節やテレビの音量増減等のために、運動能力低下者自身もそれら機器の手元操作器を操作する。
【０００４】
従来、これら運動能力低下者向け機器のスイッチ機構としては、電動ベッドを例にとると、図４（ａ）、（ｂ）に示すように、運動能力低下者の操作性を考慮し、押しボタン式の手元操作器８の上昇ボタン７ａおよび下降ボタン７b等は、容易に操作できるように、一般向け操作器の押しボタンより大きく設けられ、上昇ボタン７ａを押せば上昇スイッチＳＷ１がオンされ、基板２０に接続されたケーブル６を介してベッド９を起こし、下降ボタン７ｂを押せば下降スイッチＳＷ２がオンされ、ベッド９を倒すことができる。
【０００５】
【発明が解決しようとする課題】
しかしながら、上記従来の運動能力低下者向け機器のスイッチ機構では、押しボタン式の操作ボタン７（上昇ボタン７ａおよび下降ボタン７ｂ等）を大きくしても、指先の感覚の鈍った高齢者や身体身障者にとっては、操作ボタン７ａ、７ｂの位置を確かめて押すといった動作は困難を伴い、快適な日常生活に近づけるというには不十分であるという難点があった。
【０００６】
本発明は、上記従来の難点を解決するためになされたもので、指先の感覚の鈍った運動能力低下者でも容易に操作可能な運動能力低下者向け機器のスイッチ機構を提供することを目的としている。
【０００７】
【課題を解決するための手段】
本発明による運動能力低下者向け機器のスイッチ機構は、運動能力低下者が日常使用する機器に使用され、操作部と、操作部の操作によりオン、オフされるスイッチ部とを有するスイッチ機構において、操作部は、手指等で押圧またはスライド操作され、底面が円弧形状で構成される指操作部と、指操作部に接し、上面が指操作部の底面に対応する円弧形状で構成されるスイッチ操作部と、枠に連結し、指操作部の周囲の前後左右に延設されるばね部材とを有し、押圧方向と、押圧方向と直交するスライド方向との２方向によりスイッチ部に対して移動自在に構成されている。
【０００８】
通常どおり操作部の押圧によってスイッチのオン、オフは可能であると共に、操作部のスライドによってもスイッチのオン、オフは可能となり、指先の感覚の鈍った運動能力低下者でも操作し易いスイッチ機構となる。
【０００９】
【発明の実施の形態】
以下に、本発明による運動能力低下者向け機器のスイッチ機構の実施の形態例を図面を参照して詳述する。
【００１０】
本発明による運動能力低下者向け機器のスイッチ機構は、高齢者または身体障害者等の運動能力低下者自身が、電動ベッドの操作、エアコンの室温調節やテレビの音量増減等のために操作する、それら機器のスイッチ機構に適用される。
【００１１】
図１および図２に示すように、本発明による運動能力低下者向け機器のスイッチ機構は、操作部１と、操作部１の操作によりオン、オフされるスイッチ部２とを有する。
【００１２】
スイッチ部２は、上昇スイッチＳＷ１および下降スイッチＳＷ２等が搭載された基板２０からケーブル（図示せず）を介して機器本体に接続されている。上昇スイッチＳＷ１、下降スイッチＳＷ２には光りデバイスが採用され、基板２０には、後述の軸受け３３、３４が貫挿される穴２３、２４が穿設されている。
【００１３】
操作部１は、手指等で押圧またはスライド操作をする指操作部１２と、指操作部１２に接し、基板上の上昇スイッチＳＷ１、下降スイッチＳＷ２を直接オン、オフさせるスイッチ操作部１１とから構成される。
【００１４】
指操作部１２は、押圧方向に操作して上昇スイッチＳＷ１をオン、オフさせる押圧部１２ａおよび押圧方向に操作して下降スイッチＳＷ２をオン、オフさせる押圧部１２ｂと、これら押圧方向Ｘと直交するスライド方向Ｙ−Ｙ’への操作により上昇スイッチＳＷ１、下降スイッチＳＷ２をオン、オフさせるスライド部１２ｃとを、手元操作器の筐体３ａに穿設された窓３ｃ側に備え、スライド部１２ｃは押圧部１２ａ、１２ｂ間に指を置けるような形に低く設けられる。
【００１５】
指操作部１２の底面１２ｄは円弧形状に構成され、指操作部１２の周囲の前後左右には、ばね部材１３ａ、１３ｂ、１３ｃ、１３ｄが延設され、枠１４に連結されている。
【００１６】
スイッチ操作部１１の上面１１ｄは、指操作部１２の底面１２ｄに対応する円弧形状に構成され、スライド方向と実質的に直交するＺ−Ｚ’方向に軸１１ｅを備え、底部は、上昇スイッチＳＷ１および下降スイッチＳＷ２における光通過を遮断する光遮断部１１ａ、１１ｂを有する。
【００１７】
本発明による運動能力低下者向け機器のスイッチ機構は、筐体３ｂに設けられた軸受け３３、３４が、基板２０に穿設された穴２３、２４に挿通され、軸受け３３、３４に穿設された軸受け穴３５、３６に、スイッチ操作部１１の軸１１ｃが挿通され、スイッチ操作部１１の上に、指操作部１２が配設される。
【００１８】
以下に本発明による運動能力低下者向け機器のスイッチ機構の動作を説明する。
【００１９】
指操作部１２の押圧部１２ａがＸ方向に押し下げられると、指操作部１２の底面１２ｄ、およびそれに接するスイッチ操作部１１の上面１１ｄも押し下げられ、光遮断部１１ａがスイッチＳＷ１をオンさせて、基板２０に接続されたケーブルを介してベッドを起こすことができ、指操作部１２の押圧部１２ｂがＸ方向に押し下げられると、同様にして、下降スイッチＳＷ２がオンされ、ベッド９を倒すことができる。
【００２０】
また、指操作部１２のスライド部１２ｃに指を当ててＹ方向に動かすと、指操作部１２はばね部材１３ａ、１３ｂ、１３ｃ、１３ｄで支持されて、中点に保持され、操作者の指の動きに合わせ、左右、上下、前後に可動する為自然な動きに追従する構造になっており、指操作部１２の底面１２ｄに接するスイッチ操作部１１は軸１１ｃによって軸支されているので、スイッチ操作部１１の光遮断部１１ａが下降方向に移動してスイッチＳＷ１をオンさせ、ベッドを起こすことができ、スライド部１２ｃに指を当ててＹ’方向に動かすと、同様にして、下降スイッチＳＷ２がオンされ、ベッド９を倒すことができる。
【００２１】
本発明による運動能力低下者向け機器のスイッチ機構の代表的な回路は、図３（ａ）に示すように、ベッドの上昇用スイッチＳＷ１と、スイッチＳＷ１に直列されたリレーＲｙ１と、これらに並列された下降用スイッチＳＷ２とリレーＲｙ２とで構成され、機器（ベッド）側は、同図（ｂ）に示すようにリレー接点ｒｙ１−１、ベッドを昇降させるモータＭ、リレー接点ｒｙ１−２と、これらに並列なリレー接点ｒｙ２−１、リレー接点ｒｙ２−２とで構成される。
【００２２】
スライド部１２ｃまたは押圧部１２ａの操作でスイッチＳＷ１がオンされると、電源Ｖｃｃ、スイッチＳＷ１−１、リレーＲｙ１、アースへと電流が流れ、この時はベッド側では、リレー接点ｒｙ１−１、リレー接点ｒｙ１−２がメイクして、直流電源＋、リレー接点ｒｙ１−１、モータＭ、リレー接点ｒｙ１−２、直流電源−へと電流が流れ、モータＭはベッドを起こすように回転し、逆に、スイッチＳＷ２がオンされると、操作器側では、電源Ｖｃｃ、スイッチＳＷ２−１、リレーＲｙ２、アースへと電流が流れ、この時はベッド側では、リレー接点ｒｙ２−１、リレー接点ｒｙ２−２がメイクして、直流電源＋、リレー接点ｒｙ２−１、モータＭ、リレー接点ｒｙ２−２、直流電源−へと電流が流れ、モータＭはベッドを倒すように回転して、ベッドの上下運動を実現している。
【００２３】
なお、本実施例ではスイッチの検出に光デバイスを使用したが通常使用する機械的なスイッチでも同様の効果を得る事が出来る。
【００２４】
また、本実施例では電動ベッドの操作で説明したが、エアコンの室温調節やテレビの音量増減等、その他の手元機器のスイッチ機構にも有効であることは言うまでもない。
【００２５】
【発明の効果】
以上の説明で明らかなように、本発明の運動能力低下者向け機器のスイッチ機構によれば、運動能力低下者が日常使用する機器に使用され、操作部と、操作部の操作によりオン、オフされるスイッチ部とを有するスイッチ機構において、操作部は、押圧方向と、押圧方向と直交するスライド方向との２方向によりスイッチ部に対して移動自在に構成されているので、通常どおり操作部の押圧によってスイッチのオン、オフは可能であると共に、操作部のスライドによってもスイッチのオン、オフは可能となり、指先の感覚の鈍った運動能力低下者でも操作し易いスイッチ機構となる。
【図面の簡単な説明】
【図１】  本発明による運動能力低下者向け機器のスイッチ機構を説明する図である。
【図２】  本発明の運動能力低下者向け機器のスイッチ機構の分解者斜視図である。
【図３】  （ａ）、（ｂ）は、本発明のスイッチ機構に接続される代表的な回路図である。
【図４】  （ａ）、（ｂ）は、従来の運動能力低下者向け機器のスイッチ機構を示す図である。
【符号の説明】
１  ‥操作部
１１  ‥スイッチ操作部
１１ｄ  ‥上面
１２  ‥指操作部
１２ｄ  ‥底面
１３ａ、１３ｂ、１３ｃ、１３ｄ  ‥ばね部材
１４  ‥枠
２  ‥スイッチ部
Ｘ  ‥押圧方向
Ｙ−Ｙ  ‥スライド方向
【図１】
0004057126.tif 000002
【図２】
0004057126.tif 000003
【図３】
0004057126.tif 000004
【図４】
0004057126.tif 000005